(57)【要約】【課題】受信品質を低下させることなく、消費電力を低減すること。【解決手段】複数の送信アンテナから送信される情報系列信号の受信処理を行う半導体集積回路装置は、受信信号を高速フーリエ変換し、周波数軸で示される受信信号を生成する手段と、該周波数軸で示される受信信号の受信レベルを測定する手段と、該受信レベルと予め設定された入力信号レベルに基づいて、周波数軸で示される受信信号を正規化するための増減調節値を求める手段と、該増減調節値を用いて、周波数軸で示される受信信号を正規化する手段と、正規化された周波数軸で示される受信信号を、送信アンテナ毎の信号に分離する手段と、増減調節値を用いて、分離された送信アンテナ毎の信号を逆正規化する手段とを有する。【選択図】図２
2010147603.tif 000002
【特許請求の範囲】
【請求項１】
複数の送信アンテナから送信される情報系列信号の受信処理を行う半導体集積回路装置であって、
受信信号を高速フーリエ変換し、周波数軸で示される受信信号を生成するＦＦＴ部と、
該ＦＦＴ部により生成された周波数軸で示される受信信号の受信レベルを測定する受信レベル測定部と、
該受信レベル測定部により測定された受信レベルと予め設定された入力信号レベルに基づいて、前記周波数軸で示される受信信号を正規化するための増減調節値を求める増減調節値演算部と、
該増減調節値演算部により求められた増減調節値を用いて、前記周波数軸で示される受信信号を正規化する正規化部と、
該正規化部により正規化された前記周波数軸で示される受信信号を、前記送信アンテナ毎の信号に分離する信号分離部と、
前記増減調節値演算部により求められた増減調節値を用いて、前記信号分離部により分離された送信アンテナ毎の信号を逆正規化する逆正規化部と
を有することを特徴とする半導体集積回路装置。
【請求項２】
請求項１に記載の半導体集積回路装置において、
前記受信レベル測定部は、サブキャリア毎に受信レベルの平均を測定し、
前記増減調節値演算部は、前記入力信号レベルとなるように、前記受信レベルの平均値に乗算する増減調節値を求め、
前記正規化部は、前記増減調節値演算部により求められた増減調節値を用いて、サブキャリア毎に、前記周波数軸で示される受信信号を正規化する
ことを特徴とする半導体集積回路装置。
【請求項３】
請求項１に記載の半導体集積回路装置において、
前記受信レベル測定部は、所定数のサブキャリア毎に受信レベルの平均を測定し、
前記増減調節値演算部は、前記入力信号レベルとなるように、前記受信レベルの平均値に乗算する増減調節値を求め、
前記正規化部は、前記増減調節値演算部により求められた増減調節値を用いて、前記所定数のサブキャリア毎に、前記周波数軸で示される受信信号を正規化する
ことを特徴とする半導体集積回路装置。
【請求項４】
請求項１ないし３のいずれか１項に記載の半導体集積回路装置において、
前記逆正規化部により逆正規化された送信アンテナ毎の信号に基づいて、復号処理を行う復号処理部
を有することを特徴とする半導体集積回路装置。
【請求項５】
複数の送信アンテナから送信される情報系列信号の受信処理を行う基地局装置であって、
受信信号を高速フーリエ変換し、周波数軸で示される受信信号を生成するＦＦＴ部と、
該ＦＦＴ部により生成された周波数軸で示される受信信号の受信レベルを測定する受信レベル測定部と、
該受信レベル測定部により測定された受信レベルと予め設定された入力信号レベルに基づいて、前記周波数軸で示される受信信号を正規化するための増減調節値を求める増減調節値演算部と、
該増減調節値演算部により求められた増減調節値を用いて、前記周波数軸で示される受信信号を正規化する正規化部と、
該正規化部により正規化された前記周波数軸で示される受信信号を、前記送信アンテナ毎の信号に分離する信号分離部と、
前記増減調節値演算部により求められた増減調節値を用いて、前記信号分離部により分離された送信アンテナ毎の信号を逆正規化する逆正規化部と
を有することを特徴とする基地局装置。
【請求項６】
複数の送信アンテナから送信される情報系列信号の受信処理を行うユーザ装置であって、
受信信号を高速フーリエ変換し、周波数軸で示される受信信号を生成するＦＦＴ部と、
該ＦＦＴ部により生成された周波数軸で示される受信信号の受信レベルを測定する受信レベル測定部と、
該受信レベル測定部により測定された受信レベルと予め設定された入力信号レベルに基づいて、前記周波数軸で示される受信信号を正規化するための増減調節値を求める増減調節値演算部と、
該増減調節値演算部により求められた増減調節値を用いて、前記周波数軸で示される受信信号を正規化する正規化部と、
該正規化部により正規化された前記周波数軸で示される受信信号を、送信アンテナ毎の信号に分離する信号分離部と、
前記増減調節値演算部により求められた増減調節値を用いて、前記信号分離部により分離された送信アンテナ毎の信号を逆正規化する逆正規化部と
を有することを特徴とするユーザ装置。
【請求項７】
複数の送信アンテナから送信される情報系列信号の受信処理を行う通信装置における方法であって、
受信信号を高速フーリエ変換し、周波数軸で示される受信信号を生成するＦＦＴステップと、
該ＦＦＴステップにより生成された周波数軸で示される受信信号の受信レベルを測定する受信レベル測定ステップと、
該受信レベル測定ステップにより測定された受信レベルと予め設定された受信レベルに基づいて、前記周波数軸で示される受信信号を正規化するための増減調節値を求める増減調節値演算ステップと、
該増減調節値演算ステップにより求められた増減調節値を用いて、前記周波数軸で示される受信信号を正規化する正規化ステップと、
該正規化ステップにより正規化された前記周波数軸で示される受信信号を、送信アンテナ毎の信号に分離する信号分離ステップと、
前記増減調節値演算ステップにより求められた増減調節値を用いて、前記信号分離ステップにより分離された送信アンテナ毎の信号を逆正規化する逆正規化ステップと
を有することを特徴とする方法。
【発明の詳細な説明】
【技術分野】
【０００１】
本発明は、移動通信システムに関し、特に、基地局及びユーザ装置並びに該基地局及びユーザ装置の機能を実装する半導体集積回路装置に関する。
【背景技術】
【０００２】
将来の移動通信システムにおいては、より高速なデータ伝送を実現するためにMIMO(Multiple Input Multiple Output)多重伝送を適用することが検討されている。
【０００３】
MIMO多重伝送が適用される移動通信システムでは、送信側は、複数の送信アンテナから、異なる信号を、同じ周波数を用いて同時に送信する。受信側は、送信元の情報系列を復元するために、各受信アンテナにより受信された信号を、各送信アンテナから送信された信号に分離する。このため、受信側においては、該信号分離技術の実装方法が重要となる。特に、セルラシステムにおいては、信号分離技術の中で、最尤推定法(MLD: Maximum Likelihood Detection) とよばれるもっとも高性能な信号分離法を用いることが必須であると考えられている。最尤推定法では、受信した信号と送信される可能性のある全ての信号との比較を行い、最も確からしい信号を推定する。
【０００４】
しかし、最尤推定法は、演算量が多い問題がある。実際の商用端末においては、信号分離技術を集積回路として、実装する必要がある。例えば、ASIC(Application Specific Integrated Circuit)として実装される。集積回路として実装する場合には、実装面積が制限され、消費電力も制限される。従って、限りある実装面積、低消費電力で実現できるように、信号分離技術を集積回路に落とし込む必要がある。例えば、信号分離技術を小さな実装面積・低消費電力で実現する場合には、固定小数点化や、内部ビット数を制限することが行われる。
【非特許文献１】3GPP  TS36.300  V8.6.0
【発明の開示】
【発明が解決しようとする課題】
【０００５】
例えば、MIMO多重伝送が適用される移動通信システムにおいて、無線アクセス方式として直交周波数分割多重接続(OFDMA: Orthogonal Frequency Division Multiple Access)が適用される移動通信システムにおいては、送信側は、複数のアンテナからOFDM信号を送信する。
【０００６】
受信側では、受信信号のFFTタイミングを検出し、該FFTタイミングに従って高速フーリエ変換処理を行うことにより、時間軸で示される受信信号をサブキャリア毎の信号に変換する。そして、受信側では、サブキャリア毎に信号分離処理を行う。受信側では、高速フーリエ変換処理に先立ち、受信信号は、自動ゲイン制御(AGC: Automatic Gain Control)により、時間領域においてはほぼ一定の電力となるように制御される。しかし、AGCにより制御された受信信号を周波数軸で示される受信信号に変換すると、該受信信号の受信レベルがサブキャリア毎に大きく変動する場合がある。該変動は、周波数選択性フェージングの影響の大きい伝送路である場合に大きくなる。
【０００７】
信号分離回路への入力信号レベルは予め設定される。入力された周波数軸で示される受信信号が予め設定された入力信号レベルである場合には、該受信信号は必要最小限のビットに量子化される。特に、ASICなどへの実装のために固定小数点化や、少ビット数化が施された信号分離回路では、予め設定された入力信号レベルから大きく外れた入力信号レベルの信号が入力された場合には、その出力特性が劣化する。例えば、予め設定された入力信号レベルよりも低い入力信号レベルを有する信号が入力された場合には桁落ちが発生する場合があり、予め設定された入力信号レベルよりも高い入力信号レベルを有する信号が入力された場合には桁あふれが発生する場合がある。
【０００８】
一方、予め設定される入力信号レベルを調節することにより、上述した桁落ち、桁あふれを減少させることができる。しかし、入力信号レベルの幅を広くした場合、量子化によりとりうる値を多くする必要があり、ビット数が多く必要となる。その結果、消費電力が大きくなる。このような問題は、デジタル回路において共通に見られる。
【０００９】
特に、MIMO多重伝送が適用される移動通信システムにおいては、信号分離処理の演算量が多くなるため、該信号分離技術を小さな実装面積・低消費電力で実現する場合には、固定小数点化や、少ビット数化が必要であるが、桁落ち、桁あふれが発生するのは好ましくない。
【００１０】
そこで本発明は、上述した問題点を解決するためになされたものであり、その目的は、受信装置において、受信品質を低下させることなく、消費電力を低減できる半導体集積回路装置を提供することにある。
【００１１】
また、本発明の他の目的は、MIMO多重伝送を採用する受信装置において、受信品質を低下させることなく、消費電力を低減できる基地局及びユーザ装置並びに方法を提供することにある。
【課題を解決するための手段】
【００１２】
上記課題を解決するために、本半導体集積回路装置は、
複数の送信アンテナから送信される情報系列信号の受信処理を行う半導体集積回路装置であって、
受信信号を高速フーリエ変換し、周波数軸で示される受信信号を生成するＦＦＴ部と、
該ＦＦＴ部により生成された周波数軸で示される受信信号の受信レベルを測定する受信レベル測定部と、
該受信レベル測定部により測定された受信レベルと予め設定された入力信号レベルに基づいて、前記周波数軸で示される受信信号を正規化するための増減調節値を求める増減調節値演算部と、
該増減調節値演算部により求められた増減調節値を用いて、前記周波数軸で示される受信信号を正規化する正規化部と、
該正規化部により正規化された前記周波数軸で示される受信信号を、送信アンテナ毎の信号に分離する信号分離部と、
前記増減調節値演算部により求められた増減調節値を用いて、前記信号分離部により分離された送信アンテナ毎の信号を逆正規化する逆正規化部と
を有する。
【００１３】
本基地局装置は、
複数の送信アンテナから送信される情報系列信号の受信処理を行う基地局装置であって、
受信信号を高速フーリエ変換し、周波数軸で示される受信信号を生成するＦＦＴ部と、
該ＦＦＴ部により生成された周波数軸で示される受信信号の受信レベルを測定する受信レベル測定部と、
該受信レベル測定部により測定された受信レベルと予め設定された入力信号レベルに基づいて、前記周波数軸で示される受信信号を正規化するための増減調節値を求める増減調節値演算部と、
該増減調節値演算部により求められた増減調節値を用いて、前記周波数軸で示される受信信号を正規化する正規化部と、
該正規化部により正規化された前記周波数軸で示される受信信号を、送信アンテナ毎の信号に分離する信号分離部と、
前記増減調節値演算部により求められた増減調節値を用いて、前記信号分離部により分離された送信アンテナ毎の信号を逆正規化する逆正規化部と
を有する。
【００１４】
本ユーザ装置は、
複数の送信アンテナから送信される情報系列信号の受信処理を行うユーザ装置であって、
受信信号を高速フーリエ変換し、周波数軸で示される受信信号を生成するＦＦＴ部と、
該ＦＦＴ部により生成された周波数軸で示される受信信号の受信レベルを測定する受信レベル測定部と、
該受信レベル測定部により測定された受信レベルと予め設定された入力信号レベルに基づいて、前記周波数軸で示される受信信号を正規化するための増減調節値を求める増減調節値演算部と、
該増減調節値演算部により求められた増減調節値を用いて、前記周波数軸で示される受信信号を正規化する正規化部と、
該正規化部により正規化された前記周波数軸で示される受信信号を、送信アンテナ毎の信号に分離する信号分離部と、
前記増減調節値演算部により求められた増減調節値を用いて、前記信号分離部により分離された送信アンテナ毎の信号を逆正規化する逆正規化部と
を有する。
【００１５】
本方法は、
複数の送信アンテナから送信される情報系列信号の受信処理を行う通信装置における方法であって、
受信信号を高速フーリエ変換し、周波数軸で示される受信信号を生成するＦＦＴステップと、
該ＦＦＴ部により生成された周波数軸で示される受信信号の受信レベルを測定する受信レベル測定ステップと、
該受信レベル測定ステップにより測定された受信レベルと予め設定された入力信号レベルに基づいて、前記周波数軸で示される受信信号を正規化するための増減調節値を求める増減調節値演算ステップと、
該増減調節値演算ステップにより求められた増減調節値を用いて、前記周波数軸で示される受信信号を正規化する正規化ステップと、
該正規化ステップにより正規化された前記周波数軸で示される受信信号を、送信アンテナ毎の信号に分離する信号分離ステップと、
前記増減調節値演算ステップにより求められた増減調節値を用いて、前記信号分離ステップにより分離された送信アンテナ毎の信号を逆正規化する逆正規化ステップと
を有する。
【発明の効果】
【００１６】
受信装置において、受信品質を低下させることなく、消費電力を低減できる。
【発明を実施するための最良の形態】
【００１７】
以下、本発明の実施例を、図面を参照しつつ説明する。実施例を説明するための全図において、同一機能を有するものは同一符号を用い、繰り返しの説明は省略する。
（移動通信システム）
本実施例に係る移動通信システムについて、図１を参照して説明する。本移動通信システムは、送信装置１００及び受信装置２００を有する。送信装置１００は基地局装置が有し、受信装置２００はユーザ装置が有するようにしてもよい。また、逆に、送信装置１００はユーザ装置が有し、受信装置２００は基地局装置が有するようにしてもよい。また、基地局装置、ユーザ装置は、送信装置１００及び受信装置２００を有するようにしてもよい。ユーザ装置は、移動局装置であってもよいし、携帯端末であってもよい。
【００１８】
本移動通信システムは、例えばEvolved  UTRA  and  UTRAN（別名：Long  Term  Evolution，或いは，Super  3G）が適用されるシステムであってもよい。また、本移動通信システムは、Evolved  UTRA  and  UTRAN（別名:  Long  Term  Evolution，或いは，Super  ３Gが包含されるシステムであってもよい。本移動通信システムは、LTE-Advancedと呼ばれてもよいし、4Gと呼ばれてもよい。
(送信装置)
本実施例に係る送信装置１００について説明する。
【００１９】
送信装置１００は複数の送信アンテナを有し、ＭＩＭＯ多重伝送を行う。ＭＩＭＯ多重伝送では、図１に示すように、ある間隔で配置される複数の送信アンテナと、ある間隔で配置される複数の受信アンテナとを用いて、複数の異なるデータストリームを空間多重する。同じ周波数帯域、時間スロットで、複数の異なる情報系列を送信して空間的に多重するので、送信（受信)アンテナの数に応じてデータレート（周波数利用効率）が向上する。
【００２０】
送信装置１００は、符号化部１０２と、変調部１０４と、無線部１０４と、複数の送信アンテナとを有する。図１には、一例として２本の送信アンテナが示される。送信装置１００が２本以上の送信アンテナを有する場合でも適用できる。
【００２１】
符号化部１０２は、送信データを誤り訂正符号化し、誤り訂正符号化データを変調部１０４に出力する。変調部１０４は、前記誤り訂正符号化データを変調方式に合わせてマッピングし、変調信号を無線部１０６に出力する。無線部１０６は、変調信号を送信周波数にアップコンバートし、２本の送信アンテナから送信する。
【００２２】
送信装置１００は、受信装置２００における各変調信号の復調のため、変調信号中に、必要に応じて、パイロットシンボルを挿入する。受信装置２００は、該パイロットシンボルを信号検出、タイミング検出、周波数オフセット推定、送信方法特定、伝搬チャネル推定、等に用いる。
（受信装置）
本実施例に係る受信装置２００について説明する。
【００２３】
受信装置２００は複数の受信アンテナを有し、該複数の受信アンテナで、送信装置１００の有する複数の送信アンテナから送信される情報系列信号を受信する。
【００２４】
受信装置２００は、複数の受信アンテナと、無線部２０２と、復調部２０４と、復号部２０６とを有する。図１には、一例として２本の受信アンテナが示される。受信装置２００が３本以上の受信アンテナを有する場合でも適用できる。
【００２５】
無線部２０２は、送信アンテナと受信アンテナとの間に形成される４つの無線区間のチャネルｈ１１，ｈ１２，ｈ２１，ｈ２２を通過した受信信号ｒ１，ｒ２をベースバンド信号の低い周波数にダウンコンバートし、該ベースバンド信号を復調部２０４に出力する。復調部２０４は、受信ベースバンド信号の復調を行う。例えば、復調部２０４は、パイロットチャネルを用いたチャネル推定値を用いて信号分離を行い、各送信シンボルのブランチメトリックに基づいて、送信符号化ビットの対数尤度比(LLR: Log Likelihood Ratio)を生成する。そして、復調部２０４は、復調データ（対数尤度比など）を復号部２０６に出力する。復号部２０６は、復調データを用いて誤り訂正符号の復号を行い、受信ディジタルデータを出力する。受信装置２００は、チャネル変動ｈ１１，ｈ１２，ｈ２１，ｈ２２の推定を、パイロットシンボルを用いて行う。
【００２６】
例えば、受信装置２００は、復調部２０４において、受信信号を高速フーリエ変換する。そして、受信装置２００は、信号分離を行うのに要求される入力信号レベルに基づいて、高速フーリエ変換された受信信号（周波数軸で示される受信信号）（以下、受信信号Ａと呼ぶ）の正規化を行う。受信信号Ａの受信レベルの正規化を行うことにより、サブキャリア毎に受信信号の受信レベルが異なる場合であっても、該受信レベルを一定の範囲に抑えることができる。そして、受信装置２００は、受信レベルの正規化が行われた受信信号Ａを用いて信号分離を行う。このように、受信信号Ａの受信レベルの正規化を行うことにより、予め設定された入力信号レベルよりも低い又は高い受信レベルを有する受信信号Ａが入力されることがないため、信号分離を行う際の特性劣化を低減できる。すなわち、桁落ちや、桁あふれの発生を低減できる。また、受信装置２００は、信号分離された信号に、受信信号Ａに対して行った受信レベルの正規化とは逆の処理を行うことにより、受信レベルの逆正規化を行う。受信レベルの逆正規化を行うことにより、サブキャリア毎に信号分離された信号の基準レベルを合わせることができる。
【００２７】
本実施例に係る受信装置２００の復調部２０４について、図２を参照して説明する。
【００２８】
受信装置２００の復調部２０４は、FFTタイミング検出部２５２と、FFT部２５４と、受信レベル正規化部２５６と、信号分離部２５８と、逆正規化部２６０とを有する。図２には、復号部２０６も示される。
【００２９】
受信装置２００により受信された信号は、FFTタイミング検出部２５２及びFFT部２５４に入力される。該受信信号は、例えば、A/D変換後の２受信ブランチからのベースバンド信号である。該受信信号は、自動ゲイン制御により、時間領域でほぼ一定の電力となるように制御（振幅調整）された信号であってもよい。
【００３０】
FFTタイミング検出部２５２は、受信信号を用いてFFTタイミングを検出する。例えば、FFTタイミング検出部２５２は、受信信号に含まれるＯＦＤＭシンボルに対して自己相関値を求め、該自己相関値からＯＦＤＭシンボルの同期信号を生成する。そして、FFTタイミング検出部２５２は、該同期信号に基づいて、FFTタイミングを検出する。FFTタイミング検出部２５２は、検出したFFTタイミングをFFT部２５４に入力する。
【００３１】
FFT部２５４は、FFTタイミング検出部２５２により入力されたFFTタイミングに基づいて、受信信号に対して高速フーリエ変換を行い、時間軸で示される受信信号を周波数軸で示される受信信号に変換する。FFT部２５４は、サブキャリア毎の受信信号（以下、受信信号Ｂと呼ぶ）を受信レベル正規化部２５６に入力する。
【００３２】
受信レベル正規化部２５６は、入力された受信信号Ｂの受信レベルをほぼ一定のレベルになるように正規化する。受信レベル正規化部２５６は、図３に示すように、受信レベル測定部２５６２と、増減調節値演算部２５６４と、正規化部２５６６とを有する。
【００３３】
受信レベル測定部２５６２は、FFT部２５４により入力された受信信号Ｂの平均受信レベルを、サブキャリア毎に測定する。例えば、受信電力を測定するようにしてもよい。そして、受信レベル測定部２５６２は、該平均受信レベルを増減調節値演算部２５６４に入力する。増減調節値演算部２５６４は、受信レベル測定部２５６２により測定された平均受信レベルと当該増減調節値演算部２５６４において目標とする信号レベルとを比較し、該目標とする信号レベルに合わせるために、該平均受信レベルに乗算する増減調節値（スケーリング値）を求める。目標とする信号レベルは、信号分離部２５８への入力信号に対して要求される入力信号レベルに基づいて設定されてもよい。増減調節値演算部２５６４は、増減調節値を正規化部２５６６及び逆正規化部２６０に入力する。
【００３４】
正規化部２５６６は、受信信号Ｂに増減調節値演算部２５６４により入力された増減調節値を乗算する。その結果、受信信号Ｂは、一定の受信レベルとなったサブキャリア毎の受信信号（以下、受信信号Ｃと呼ぶ）となる。正規化部２５６６は、受信信号Ｃを信号分離部２５８に入力する。
【００３５】
信号分離部２５８は、正規化部２５６６により入力された受信信号Ｃ及びチャネル推定値に基づいて、各送信アンテナから送信された信号を検出することにより、各送信アンテナから送信された信号に分離する。信号分離 については、例えば、最尤判定法(MLD)を適用することができる。また、最小二乗誤差法(MMSE: Minimum Mean Square Error）、ＱＲ分解方式の最尤判定法(QRM-MLD）等の手法を適用するようにしてもよい。最尤判定法では、複数の送信信号と受信信号との全ての可能な組合せについてユークリッド距離又はその二乗を算出し、最小の距離を与える送信信号の組合せを、最も確からしい推定結果として選択する。分離された送信信号（対数尤度比など）は、逆正規化部２６０に入力される。
【００３６】
送信装置１００が有する各送信アンテナにより送信される信号が複数の変調多値数を取りうる場合、信号分離部２５８では、信号分離を行う各信号の変調多値数の組み合わせごとに別々の信号分離器が用意され、該信号分離器を切り替える制御が行われてもよい。
【００３７】
逆正規化部２６０は、増減調節値演算部２５６４により入力された増減調節値を用いて、信号分離部２５８により分離された信号の受信レベルを元に戻す。例えば、逆正規化部２６０は、該分離された信号を増減調節値で除算することにより、受信レベルを逆正規化する。逆正規化部２６０は、逆正規化した信号をチャネル復号部２０６に入力する。
【００３８】
チャネル復号部２０６は、逆正規化部２６０により入力された逆正規化された信号をチャネル復号し、誤り訂正を行う。
（受信方法）
本実施例に係る受信装置２００における受信方法について、図４を参照して説明する。
【００３９】
受信装置２００は、送信装置１００の有する複数の送信アンテナから送信される情報系列信号を、当該受信装置２００の有する複数の受信アンテナで受信する。
【００４０】
受信装置２００は、受信信号を用いてFFTタイミングを検出する（ステップＳ４０２）。
【００４１】
受信装置２００は、ステップＳ４０２において検出されたFFTタイミングに基づいて、受信信号に対して高速フーリエ変換を行う（ステップＳ４０４）。
【００４２】
受信装置２００は、ステップＳ４０４により高速フーリエ変換された受信信号の受信レベルを測定する（ステップＳ４０６）。
【００４３】
受信装置２００は、ステップＳ４０６により測定された受信レベル及び当該受信装置２００において目標とする入力信号レベルに基づいて、増減調節値を求める（ステップＳ４０８）。
【００４４】
受信装置２００は、ステップＳ４０４により高速フーリエ変換された受信信号に増減調節値を乗算する（ステップＳ４１０）。その結果、サブキャリア毎に、周波数軸で示される受信信号が正規化される。
【００４５】
受信装置２００は、ステップＳ４１０により、一定の受信レベルとなったサブキャリア毎の受信信号及びチャネル推定値に基づいて、各送信アンテナから送信された信号を検出することにより、分離する（ステップＳ４１２）。
【００４６】
受信装置２００は、増減調節値を用いて、ステップＳ４１２により分離された信号の受信レベルを元に戻すことにより逆正規化する（ステップＳ４１４）。
【００４７】
受信装置２００は、逆正規化された信号を誤り訂正符号により、誤り訂正を行う（ステップＳ４１６）。例えば、ターボ復号が行われる。
【００４８】
なお、本実施例の説明に用いた各機能ブロックは、典型的には半導体集積回路であるＬＳＩとして実現される。例えば、FFTタイミング検出部２５２、FFT部２５４、受信レベル正規化部２５６、信号分離部２５８、逆正規化部２６０及び復号部２０６が半導体集積回路として実現されてもよい。また、各機能ブロックは、個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。例えば、ある特定の用途のために設計、製造されるＡＳＩＣ(Application Specific Integrated Circuit)により実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。さらには、半導体技術の進歩又は派生する他の技術によりＬＳＩに置き換わる集積回路化の技術が開発されれば、その技術を用いて各機能ブロックの集積化を行ってもよい。例えば、バイオ技術の適応等が可能性としてありえる。
【００４９】
また、本実施例において、受信レベル測定部２５６２は、所定数のサブキャリア毎に、受信レベルを測定するようにしてもよい。そして、所定数のサブキャリア毎に、受信レベルの平均を求めるようにしてもよい。そして、増減調節値演算部２５６４は、入力信号レベルとなるように、前記所定数のサブキャリア毎の受信レベルに乗算する増減調節値を求める。そして、正規化部２５６６は、増減調節値演算部２５６４により求められた増減調節値を用いて、所定数のサブキャリア毎に、受信信号を正規化する。このように、所定数のサブキャリア毎に受信信号を正規化することにより、受信レベルの測定回数、増減調節値を求めるための演算量を削減できる。
【００５０】
また、受信レベル測定部２５６２は、FFT部２５４により入力された受信信号Ｂの受信レベルの最大値（ピーク電力）を、サブキャリア毎に測定するようにしてもよい。
【００５１】
本実施例によれば、周波数軸で示される受信信号を正規化して、信号分離を行うことにより、該信号分離演算に必要なビット数を少なくでき、消費電力も削減できる。また、桁落ち、桁あふれの発生を低減できるため、受信品質も向上する。
【００５２】
本実施例によれば、サブキャリア毎に受信レベルの平均を測定し、信号分離演算を行うのに要求される入力信号レベルとなるように、受信レベルの平均値に乗算する増減調節値を求め、該増減調節値を用いて、サブキャリア毎に、周波数軸で示される受信信号を正規化する。サブキャリア毎に、周波数軸で示される受信信号を正規化することにより、予め設定された入力信号レベルから大きく外れた入力信号レベルの信号が信号分離部に入力されることがなくなる。
【００５３】
本実施例によれば、所定数のサブキャリア毎に受信レベルの平均を測定し、信号分離演算を行うのに要求される入力信号レベルとなるように、受信レベルの平均値に乗算する増減調節値を求め、該増減調節値を用いて、所定数のサブキャリア毎に、周波数軸で示される受信信号を正規化する。所定数のサブキャリア毎に、周波数軸で示される受信信号を正規化することにより、増減調節値を求めるための演算量を削減できる。
【００５４】
本実施例によれば、特に、周波数軸で示される受信信号の振幅が大きくなる選択性フェージング環境下においても、信号分離の際の桁落ち、桁あふれによる特性劣化を解消でき、少ない内部ビット数で高精度の信号分離を行うことができる。
【００５５】
尚、本発明に係る移動通信システムは、ＭＩＭＯ多重伝送が適用される全ての移動通信システムに適用することが可能である。また、デジタル回路を実装するために、固定小数点化や、少ビット数化が適用される半導体集積回路装置に適用できる。
【００５６】
説明の便宜上、発明の理解を促すため具体的な数値例を用いて説明されるが、特に断りのない限り、それらの数値は単なる一例に過ぎず適切な如何なる値が使用されてよい。
【００５７】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００５８】
【図１】ＭＩＭＯ多重伝送が適用される移動通信システムの送信装置及び受信装置を示す機能ブロック図である。
【図２】一実施例に係る受信装置を示す機能ブロック図である。
【図３】一実施例に係る受信装置の受信レベル正規化部を示す機能ブロック図である。
【図４】一実施例に係る受信装置の動作を示すフロー図である。
【符号の説明】
【００５９】
１００  送信装置
１０２  符号化部
１０４  変調部
１０６  無線部
２００  受信装置
２０２  無線部
２０４  復調部
２０６  復号部
２５２  FFTタイミング検出部
２５４  FFT部
２５６  受信レベル正規化部
２５８  信号分離部
２６０  逆正規化部
２５６２  受信レベル測定部
２５６４  増減調節値演算部
２５６６  正規化部
【図１】
2010147603.tif 000003
【図２】
2010147603.tif 000004
【図３】
2010147603.tif 000005
【図４】
2010147603.tif 000006